(57)【特許請求の範囲】
【請求項１】
同期化誤差回路（１０５、１１０、１１５、１２０）とフィードバック回路（１２５、２０５、２１０、２１５）からなるレイク受信機用フィンガ追跡回路において、
前記同期化誤差回路は、追跡されるべきキャリア信号の現在のパワー制御グループ（ＰＣＧ）内の同期化誤差を生成しており、
前記フィードバック回路は、前記フィンガ追跡回路の収束レートが前記キャリア信号のデータレートに依存するよう、データレートと信号対ノイズ比（ＳＮＲ）の関数であるゲイン信号と生成された前記同期化誤差とを用いて同期化誤差を決定していることを特徴とするレイク受信機用フィンガ追跡回路。
【請求項２】
前記ゲイン信号は、前記パワー制御グループ（ＰＣＧ）のエネルギ量の関数であることを特徴とする請求項１の回路。
【請求項３】
前記ゲイン信号は、前記キャリア信号が所定の公称エネルギレベルにあるときに、１に近づくことを特徴とする請求項１の回路。
【請求項４】
前記フィードバック回路は、プレフィルタ乗積器（２０５）とポストフィルタ乗積器（２１０）との間に接続されたループフィルタ（１２５）を有し、
前記ゲイン信号を前記プレフィルタ乗積器と前記ポストフィルタ乗積器とに入力することを特徴とする請求項１の回路。
【請求項５】
前記同期化誤差回路は、前記パワー制御グループ（ＰＣＧ）内の同期化誤差を生成するために、前記キャリア信号に対しウォルシュ復調を行なうことを特徴とする請求項１の回路。
【請求項６】
前記同期化誤差回路と前記フィードバック回路とは、データ処理回路内で実行可能な一連の指令として実現されることを特徴とする請求項１の回路。
【請求項７】
追跡されるべきキャリア信号の現在のパワー制御グループ（ＰＣＧ）内の同期化誤差を生成して同期化誤差を決定するレイク受信機用フィンガ追跡方法において、
前記キャリア信号の収束レートが前記キャリア信号のデータレートに依存するよう、前記キャリア信号のデータレートと信号対ノイズ比（ＳＮＲ）との関数であるゲイン信号と生成された前記同期化誤差とを用いて同期化誤差を決定していることを特徴とするレイク受信機用フィンガ追跡方法。
【請求項８】
前記ゲイン信号は、前記パワー制御グループ（ＰＣＧ）のエネルギ量の関数であることを特徴とする請求項７の方法。
【請求項９】
前記ゲイン信号は、前記キャリア信号が所定の公称エネルギレベルにあるとき、１に近づくことを特徴とする請求項７の方法。
【請求項１０】
ワイアレス符号分割多元接続（ＣＤＭＡ）システムにおいて、
それらの間の有線の相互接続により通信することにより協動する複数の基地局と、
キャリア信号を介して、移動端末とワイアレス通信する前記複数の基地局の各々のレイクトランシーバと、
前記キャリア信号のうち少なくとも１つを追跡する前記レイクトランシーバ各々におけるフィンガ追跡回路とからなり、
前記フィンガ追跡回路は、
前記追跡されるべき前記キャリア信号の現在のパワー制御グループ（ＰＣＧ）内の同期化誤差を生成する同期化誤差回路と、
前記フィンガ追跡回路の収束レートが前記キャリア信号のデータレートに依存するように、データレートと信号対ノイズ比（ＳＮＲ）との関数であるゲイン信号と生成された前記同期化誤差を用いて同期化誤差を決定しているフィードバック回路とからなることを特徴とするワイアレス符号分割多元接続（ＣＤＭＡ）システム。
【発明の詳細な説明】
【０００１】
【発明の属する技術分野】
本発明は、ワイアレス通信に関し、特にスペクトラム拡散レイク受信機内のフィンガオフセットを追跡する回路とその方法およびこの回路と方法を採用したワイアレスのインフラストラクチャ（例えば、符号分割多重アクセス（Code Division Multiple Access（ＣＤＭＡ））に関する。
【０００２】
【従来の技術】
ワイアレス通信の利便性とその人気は、例えばワイアレスのデジタル電話およびＰＨＳのような、より効率的で信頼性のあるそして安価な移動デバイスを提供するような技術的な利点に密接に結び付いている。その移動デバイスの移動性および低電力消費の必要性により従来の移動デバイスは、重要な設計上の制約をワイアレス通信ネットワークさらにまたそれらをサポートするような交換局に課している。
【０００３】
各交換局は、複数のトランシーバのサイト、即ち「セル」に接続されており、移動端末（移動局）と交換局との間での通信が可能となる。通常通信セルをオーバラップするようなハニカム構造のパターンとなるような高密度のセルあるいは近接した複数のセルが存在する。このようにセルが近接することにより、各移動デバイス（移動端末）は少なくとも１つのセルに常に近接している。このためどのような無線信号も、数個のセルそして数個の交換局により同時に受信される。各セルは通常各方向に数マイル（約１０Ｋｍ）の範囲をカバーするが、これは当然のことながら山やビルのような自然物あるいは人工物により制限される。
【０００４】
従来は、ワイアレス通信の大部分はアナログであったが、近年はデジタルに移行しつつある。このような変化は、共用可能性および周波数の有効利用性に基づくものであり、ユーザがある周波数あるいはある周波数範囲を共用した場合には、より多くのユーザを少ないバンド幅で受け入れることができる。
【０００５】
近年有望なワイアレスデジタル通信法は符号分割多重（ＣＤＭＡ）である。このＣＤＭＡは、古くからあるスペクトラム拡散技術の一形態である。このスペクトラム拡散技術は、１９２０年代に導入され、数十年に亘って軍事用の応用から民生用のワイアレス通信に発展してきた。
【０００６】
具体的に説明すると、このスペクトラム拡散技術は、幅広い周波数範囲に亘って、そして時分割ベースで周波数範囲を移動させながら無線周波数エネルギを組織化するものである。例えば送信器は第１の時点で第１の周波数で送信し、第２の時点で第２の周波数で送信する。そして受信機は、第１周波数から第２周波数への変化に応答して受信時に周波数を切り換えるように、その送信器系に同期化して受信するものである。
【０００７】
複数の信号が通信ネットワークを介して通信されると、データを喪失する可能性および通信信号の劣化が指数関数的に増加する。送信器と受信機の間で、同期を維持することは極めて重要である。信号の送信あるいは着信の同期化、即ちタイミングがずれると、信号の情報コンテンツが歪んだりあるいは失われたりする。このような現象は通常ずれ（ｓｌｉｐｐａｇｅ）と称している。
【０００８】
通信号の探索（ｓｅａｒｃｈｉｎｇ）  と追跡（ｔｒａｃｋｉｎｇ）は、そのため受信機が行う最も重要な同期化プロセスである。この探索プロセスとは、最強の受信通信信号を復調するために（およびソフトハンドオフを行うために）信号パスを見いだすプロセスである。
【０００９】
一方、追跡プロセスとは、一旦同期して受信した通信信号を同期を維持するよう追跡するプロセスである。これは追跡ループ「ｔｒａｃｋｉｎｇ  ｌｏｏｐ」  を用いて行われる。従来の追跡ループは、信号パスを統計的な疑似ランダム数（ｐｓｅｕｄｏｒａｎｄｏｍ  ｎｕｍｂｅｒ（ＰＮ））  のチップに微調整するよう機能する。受信信号は、複数のデータレートの内のどの１つのレートでも送信されるので、最低速のデータレートが用いられる。即ち、受信した全てのデータのわずか一部分のみが追跡プロセス用に用いられ、その結果追跡ループが効率的ではなくなってしまう。
【００１０】
【発明が解決しようとする課題】
本発明の目的は、追跡手段の収束レートが受信信号のデータレートに依存するような受信信号を追跡する適応型の手段を提供することである。さらにまた本発明の目的は、移動デバイスが移動することにより、および規準同期調整により信号遅延の変化に追従するような追跡手段を提供することである。
【００１１】
【課題を解決するための手段】
本発明のフィンガ追跡回路は、請求項１に記載した特徴を有する。そのため本発明は、キャリア信号のデータレートとＳＮＲ（信号対雑音比）の関数としてゲイン信号を同期化誤差回路に適応するものである。これによりフィンガ追跡回路の収束レートは、間接的にキャリア信号の強度（これはキャリア信号のＳＮＲと相関関係にある）に依存することになる。したがってキャリア信号のデータレートが速くなると、収束も速く行われその逆も行われる。本発明の一実施例においては、このフィンガ追跡回路は、キャリア信号の追跡を継続して行うために、位相ロックループ（ｐｈａｓｅ−ｌｏｃｋｅｄ  ｌｏｏｐ（ＰＬＬ））  の形態をとる。
【００１２】
本発明の一実施例においては、請求項２に記載した特徴を有する。このＰＣＧのエネルギ量は、一部はキャリア信号の振幅に依存し、そしてこの振幅からデータレートとＳＮ比が得られる。キャリア信号あるいはそのＰＣＧの他の特性を用いてゲイン信号を得ることもできる。本発明の概念としては、ゲイン信号の適応を行うためにはキャリア信号の他の特徴を用いてもよい。
【００１３】
本発明の一実施例においては、請求項３に記載した特徴を有する。本発明の一実施例においては、キャリア信号が表れない場合、あるいはＳＮＲがゼロに近付く場合（このことはスイッチを「オフ」にすることと等価である）のいずれかの場合、ゲイン信号がゼロである。当然のことながらこのゲイン信号は必ずしも正規化する必要はない。
【００１４】
ある種の応用例においては、正規化されていないゲイン信号を用いる利点もある。本発明の一実施例においては、請求項４に記載した特徴を有する。本発明の概念としては、ループフィルタあるいは乗積器のいずれをも必要とするものではない。実際のところ本発明の他の実施例においては、このフィードバック回路は、請求項６に記載した特徴を有する。さらにまた本発明は、アナログあるいはデジタルのディスクリート回路あるいは集積回路で実現可能である。
【００１５】
さらに本発明は、請求項７に記載の特徴を有する。本発明は、汎用のデータ処理プロセッサあるいは信号処理回路とで実行可能なソフトウェアの形態をもとり得る。本発明は特定のハードウェア，ファームウェア，ソフトウェアに限定されるものではない。
【００１６】
本発明の一実施例においては、請求項５に記載した特徴を有する。本発明はフィードバック回路に与えられる同期化誤差を得るために、ウォルシュ復調技術を用いている。
【００１７】
【発明の実施の形態】
本発明の説明に入る前にいくつかの言葉の定義をする。「スペクトラム拡散」 とは、ワイアレス通信信号のデータあるいは情報を元のデータあるいは情報の周波数範囲よりもさらに広い周波数範囲に亘って拡散させる変調技術の総称である。この変調技術は、入力信号を取り出し、通常幅広い周波数範囲に拡散させるものである。「符号分割多重」（ＣＤＭＡと直接拡散ＣＤＭＡ（ＤＳ−ＣＤＭＡ））も）スペクトラム拡散技術に基づく公知のワイアレス通信技術であり、そしてこのＣＤＭＡの最大の利点は通信スペクトラムの容量の増加と効率的使用が可能になる点である。
【００１８】
ここで使用される「含む」という用語は、これに限定することなく「含む」ことを意味し、「関連する」と言う用語は、「その中に含む」、「相互に接続する」「包含する」「その中に包含される」「接続する」「結合する」「通信可能である」「配置される」「協働する」等の意味を有する。
【００１９】
図１において、従来のフィンガ追跡アルゴリズム実現回路１００は、サンプラ回路１０５と進み（ｅａｒｌｙ）ゲート回路１１０と遅れ（ｌａｔｅ）ゲート回路１１５と加算回路１２０とループフィルタ回路１２５とスイッチ回路１３０，１３５とを有する。
【００２０】
サンプラ回路１０５は、キャリア信号（例、複合デジタル通信信号）と制御信号（即ち、ループフィルタ回路１２５から受信した出力信号）とを入力として受信し、進み（ｅａｒｌｙ）信号（Ｔ−Δ）と遅れ（ｌａｔｅ）信号（Ｔ＋Δ）の各々を生成する。進みゲート回路１１０と遅れゲート回路１１５とはそれぞれ進み信号と遅れ信号と制御信号（例、従来の復調プロセスから得られるウォルシュインデックス）を入力として受信し、加算回路１２０への入力信号として進み信号と遅れ信号の両方を生成する。加算回路１２０はこの進み信号と遅れ信号とを結合して同期化誤差出力信号を生成し、その振幅は進み信号と遅れ信号の振幅の差に比例する。この同期化誤差信号はループフィルタ回路１２５に入力され、サンプラ回路１０５用の制御信号を生成する。
【００２１】
ノイズが従来のフィンガ追跡アルゴリズム実現回路１００の追跡ループの性能に大きな影響を及ぼす。ＣＤＭＡを例として説明すると、この従来のシステムは異なるデータレートに対し、ノイズは従来のデータバーストランダム化（ｄａｔａ  ｂｕｒｓｔ  ｒａｎｄｏｍｉｚａｔｉｏｎ（ＤＢＲ））を用いるＣＤＭＡ逆リンク受信機システム（例、ＩＳ−９５標準）に対し特に鋭い。同期化誤差δ信号が、現行パワー制御グループ（ＰＣＧ）内でゲートオフされていると、この同期化誤差信号は非常に大きな振幅を有するノイズだけになってしまう。
【００２２】
従来技術ではこの問題を解決するために、狭いバンド幅と小さなループゲインを選択して雑音条件下でループを追跡している。このアプローチは追跡ループを不能にして非常に収束が遅くなってしまう。別の従来技術のアプローチでは、追跡ループをゲートオンのＰＣＧ用だけにしている。キャリア信号が複数のデータレート（例、１／８，１／４，１／２，１その他、疑似ランダム数（ＰＮ）チップ）中のいずれかのレートで伝送されているので、最低のデータレート（例、１／８ＰＮチップ）が採られる。最大１６個のＰＣＧの内、２個のみをフィンガ追跡走査用に用いると追跡ループが非効率的となってしまう。
【００２３】
図２には本発明のフィンガ追跡アルゴリズムを実行するフィンガ追跡アルゴリズム実現回路２００を示す。この本発明によるフィンガ追跡アルゴリズム実現回路２００は、従来のワイアレスインフラストラクチャ（図５で議論する）の従来のレイク受信機と関連している。このフィンガ追跡アルゴリズム実現回路２００は、サンプラ回路１０５と進みゲート回路１１０と遅れゲート回路１１５と加算回路１２０とループフィルタ回路１２５と２個の乗積切り換え回路２０５，２１０とゲイン論理回路２１５とを有する。
【００２４】
サンプラ回路１０５はキャリア信号と制御信号（即ち、ループフィルタ回路１２５から受信した出力信号）とを入力信号として受信し、進み信号（Ｔ−Δ）と遅れ信号（Ｔ＋Δ）の各々を生成する。進みゲート回路１１０と遅れゲート回路１１５とはそれぞれ進み信号と遅れ信号と制御信号（例、従来のウォルシュインデックス）を入力信号として受信し、この進み信号と遅れ信号をゲート処理して加算回路１２０へ入力する。
【００２５】
この加算回路１２０は進み信号と遅れ信号とを結合して、進み信号と遅れ信号の振幅の差に比例する振幅を有する同期化誤差出力信号を生成する。この同期化誤差信号は、ループフィルタ回路１２５に第１乗積切り換え回路２０５を介して入力される。このループフィルタ回路１２５は制御信号を生成し、これをサンプラ回路１０５に第２乗積切り換え回路２１０を介して与える。
【００２６】
サンプラ回路１０５と進みゲート回路１１０と遅れゲート回路１１５と加算回路１２０は、第１と第２の乗積切り換え回路２０５と２１０と協働して追跡中のキャリア信号の現行ＰＣＧ内の同期化誤差を決定する同期化誤差回路を構成する。
【００２７】
ここに示した実施例においては、第１と第２の乗積切り換え回路２０５と２１０とは、ゲイン論理回路２１５により制御されている。ループフィルタ回路１２５、ゲイン論理回路２１５及び第１と第２の乗積切り換え回路２０５と２１０はキャリア信号のデータレートとＳＮＲ（信号対ノイズ比）の関数であるゲイン信号を同期化誤差回路に（特にサンプラ回路１０５へ）与えるフィードバック回路を構成する。フィンガ追跡アルゴリズム実現回路２００の収束レートは、キャリア信号の強度から得られたキャリア信号のデータレートに依存する。
【００２８】
キャリア信号は、複数のデータレート（例、１／８，１／４，１／２，１，その他、ＰＮチップ）のいずれかのレートでもって伝送されるので、本発明の実施例では、特にフィードバック回路は同期化誤差回路に適用されるゲイン信号をキャリア信号のデータレートとＳＮＲの関数として採用している。その結果フィンガ追跡アルゴリズム実現回路２００の収束レートは、キャリア信号強度（これは通常キャリア信号のＳＮＲと相関している）に依存する。
【００２９】
したがって、キャリア信号が強くなると（データレートが速くなると）収束レートが速くなる。そしてその逆も行われる。本発明によるフィンガ追跡アルゴリズム実現回路２００は適応型で、図１の従来のフィンガ追跡アルゴリズム実現回路１００とは異なり、最低のデータレート（例、１／８ＰＮチップ）で統計的に動作することはない。即ち、全ての可能性のあるＰＣＧをフィンガ追跡アルゴリズム実現回路２００のフィンガ追跡走査用に用いその結果追跡ループがより効率的になる。
【００３０】
別法として、同期化誤差回路とフィードバック回路とはデータ処理回路内で実行可能な一連の指令として実現できる。本発明は適宜汎用のデータ処理蓄積回路あるいは信号処理回路内で実行可能なソフトウェアの形態を採ることもできる。本発明のより広い概念では、本発明はハードウェア，ファームウェア，ソフトウェアあるいはこれらの適宜の組み合わせで実現できる。
【００３１】
実用性においては、これらの処理回路は、例えばプログラマブルアレイ論理回路（ｐｒｏｇｒａｍｍａｂｌｅ  ａｒｒａｙ  ｌｏｇｉｃ（ＰＡＬ））と、プログラマブル論理アレイ（ｐｒｏｇｒａｍｍａｂｌｅ  ｌｏｇｉｃ  ａｒｒａｙｓ（ＰＬＡ））と、デジタル信号プロセッサ（ｄｉｇｉｔａｌ  ｓｉｇｎａｌ  ｐｒｏｃｅｓｓｏｒｓ（ＤＳＰ）），フィールドプログラマブルゲートアレイ（ｆｉｅｌｄ  ｐｒｏｇｒａｍｍａｂｌｅ  ｇａｔｅ  ａｒｒａｙｓ（ＦＰＧＡ）），特定アプリケーション用の集積回路（ａｐｐｌｉｃａｔｉｏｎ  ｓｐｅｃｉｆｉｃ  ｉｎｔｅｇｒａｔｅｄ  ｃｉｒｃｕｉｔｓ（ＡＳＩＣ）），大規模集積回路（ｌａｒｇｅ  ｓｃａｌｅ  ｉｎｔｅｇｒａｔｅｄ  ｃｉｒｃｕｉｔｓ（ＬＳＩ）），超大規模集積回路（ｖｅｒｙ  ｌａｒｇｅ  ｓｃａｌｅ  ｉｎｔｅｇｒａｔｅｄ  ｃｉｒｃｕｉｔｓ（ＶＬＳＩ））  とを用いて、本発明の特許請求の範囲に記載された回路，制御装置，システムを構成することができる。
【００３２】
フィンガ追跡アルゴリズム実現回路２００は、キャリア信号の追跡を継続的に可能とする位相ロックループ（ｐｈａｓｅ−ｌｏｃｋｅｄ  ｌｏｏｐ（ＰＬＬ））  の形態を採ることができる。
【００３３】
次に、図３には本発明によるフィンガ追跡アルゴリズムを実行するフローチャートを示す。フィンガ追跡アルゴリズム３００は、図２の従来技術に係るフィンガ追跡アルゴリズム実現回路２００を参照して説明する。
【００３４】
まず最初に、追跡すべきキャリア信号をワイアレススペクトラム拡散インフラストラクチャのレイク受信機が受信する（入力／出力ステップ３０５）。フィンガ追跡アルゴリズム実現回路２００は、受信したキャリア信号の現在のＰＣＧ内の同期化誤差を決定する（プロセスステップ３１０）。本発明によれば、この同期化誤差回路はウォルシュ復調をキャリア信号に加えて、ＰＣＧ内の同期化誤差を決定する。本発明は、フィードバック回路に与える同期化誤差を得るために、ウォルシュ復調を利用している。
【００３５】
フィンガ追跡アルゴリズム実現回路２００は、受信したキャリア信号のＰＣＧのエネルギ量の関数としてゲイン信号を決定する（プロセスステップ３１５）。このＰＣＧのエネルギ量は、その一部はキャリア信号の振幅に依存し、これを用いてキャリア信号のデータレートを決定する。キャリア信号の他の特性を用いてゲイン信号を採用することもできる。本発明のより広い概念によれば、キャリア信号の特定の特質を用いてゲイン信号の適応を行うことに限定されるものではない。
【００３６】
本発明においては、プロセスステップ３１０と３１５を同時に実行しているが、これらのステップは適当な順序で順番に実行することも可能である。
【００３７】
本発明の一実施例において、キャリア信号が所定の公称エネルギレベルにあるとき、ゲイン信号は、「１」に近づく。本発明の最も好ましい一実施例において、キャリア信号が存在しない場合、あるいはＳＮＲが「０」に近付く場合（このことはスイッチを「オフ」にすることと等価である）のいずれかの場合、ゲイン信号はゼロである。当然のことながらこのゲイン信号は必ずしも正規化する必要はない。
【００３８】
フィンガ追跡アルゴリズム実現回路２００と特にフィードバック回路は、第１乗積切り換え回路２０５（例、プレフィルタ乗積器）とゲイン論理回路２１５（例、ポストフィルタ乗積器）との間に接続されたゲイン論理回路２１５（例、ループフィルタ）を有する。このフィードバック回路は、振幅から得られたゲイン係数を乗積切り換え回路２０５，２１０に加える（プロセスステップ３２０）。これによりフィンガ追跡アルゴリズム実現回路２００の収束レートは、キャリア信号のデータレートとＳＮＲ（キャリア信号の強度から適宜得られる）に依存している。
【００３９】
本発明は、広い意味で、必ずしもループフィルタあるいは乗積器を必要とするものでない。しかし、本発明の代替的な一実施例においては、このフィードバック回路は、プレフィルタビットシフタとポストフィルタビットシフタとの間に接続されたループフィルタを有し、振幅から対数形式で得られたゲイン係数をプレフィルタシフタとポストフィルタシフタに係数を与えることを特徴とする回路を有する。さらにまた本発明は、アナログあるいはデジタルのディスクリート回路あるいは集積回路で実現可能である。
【００４０】
要するにフィンガ追跡アルゴリズム３００は、同期化誤差回路に適応されるゲイン信号をキャリア信号のデータレートとＳＮＲの関数として採用している。このためフィンガ追跡アルゴリズム実現回路２００の収束レートは、キャリア信号強度（通常キャリア信号のＳＮＲと相関される）に依存し、キャリア信号のデータレートが速くなると収束も速くなり、その逆もまた真である。
【００４１】
次に図４は、本発明の図３のフィンガ追跡アルゴリズム３００を実現する別の例示的な回路（再び、符号２００で示される）のブロック図である。このフィンガ追跡アルゴリズム実現回路２００は、同期化誤差回路（例、サンプラ回路１０５と適宜配置された多重化装置４０５と従来のウォルシュ復調回路４１０と乗積器４１５と遅延回路４２０）とフィードバック回路（例、プレフィルタシフタ回路２３５，ループフィルタ回路１２５，ポストフィルタシフタ回路２２５，ゲイン論理回路２１５）とを有する。
【００４２】
フィンガ追跡アルゴリズム実現回路２００は、キャリア信号を追跡する従来のレイク受信機と、適宜関連づけられている。本発明の同期化誤差回路は、追跡されるべき受信したキャリア信号の現在のＰＣＧ内の同期化エラーを決定するよう動作する。また本発明のフィードバック回路は、キャリア信号のデータレートとＳＮＲの関数であるゲイン信号を同期化誤差回路に適応するよう動作し、その結果フィンガ追跡アルゴリズム実現回路２００の収束レートは受信したキャリア信号の強度から得られたデータレートに依存する。
【００４３】
図５には本発明の図２から４の実施例と適宜関連づけられたインフラストラクチャ（５００）のブロック図を示す。切り換え分配装置（ＳＤＵ）５０５は通常複数のワイアレスセル（例、セル５１０ａ，５１０ｂ）に接続された従来の基地局（通常固定）であり、移動体ユニットが他の移動体ユニットあるいは従来の地上線通信ネットワークおよびそれらに関連した電話局との通信に用いられる。
【００４４】
この実施例は１個のＳＤＵ５０５と２個のセルサイトのみを示しているが、本発明は複数の基地局および３個以上のセルサイトにも同様に適用できるものである。これらの基地局とセルサイトとはそれらの間で有線で相互接続されて通信する。
【００４５】
ＳＤＵ５０５は切り換え装置５２０と音声符号化装置５２５とＰＳＴＮインタフェース５３０とを有する。この切り換え装置５２０は、電気通信パスを接続したり、遮断したり、あるいは回路の開閉を行い、あるいはこれらの通信パスを選択制御する装置を含んでいる。ここで「装置」とは、電気的，機械的，電気機械的，電子的，光学的に少なくとも１つの機能を実行するような装置，機械，機械装置とを含む。
【００４６】
音声符号化装置５２５は、あるフォーマットで受信した音声入力を他のフォーマットで転送されるよう、出力に変換する従来の装置である。ＰＳＴＮインタフェース５３０は、インフラストラクチャ５００と他の基地局あるいは従来の通信ネットワークとを関連づける装置であり、本発明では例として公衆交換電話ネットワーク（ｐｕｂｌｉｃ  ｓｗｉｔｃｈｅｄ  ｔｅｌｅｐｈｏｎｅ  ｎｅｔｗｏｒｋ（ＰＳＴＮ））である。
【００４７】
ＳＤＵ５０５は、移動電話交換センタ５３５と接続されている。この移動電話交換センタ５３５は複数のセルサイトを制御し、接続するよう動作し、特にＣＤＭＡのソフトハンドオフ要求を処理できる従来公知の装置である。
【００４８】
各セル５１０ａと５１０ｂは、ワイアレス通信システム（例、インフラストラクチャ５００）の基地局ユニットであり、セルサイト設備（通常各都市，郡，地域，あるいはさらに小さなセル）のハニカムタイプのパターンからなる。各セル５１０ａと５１０ｂは、ワイアレスキャリアあるいは通信信号の受信機と送信機（例、レイクトランシーバ）として動作できる従来装置である（キャリア信号は、音声信号のみならずデータ信号および関連制御情報を含む）。本発明の一実施例によれば、レイク受信機は基地局と適宜接続して少なくとも移動端末５１５と複数のスペクトラム拡散フィンガで搬送されるキャリア信号を介して無線で通信する。
【００４９】
セル５１０ａ，５１０ｂは増幅器５４０と無線装置５４５とセルサイト制御装置５５０とネットワークインタフェース５５５とを有する。各増幅器５４０は、電話通話が媒体（例えば、銅線，光ファイバ，無線チャネル等）を介して伝播し、そしてそれらが抵抗にあい、弱くなりさらに受信するのが困難なほど弱くなる時に、この実施例に示したようなキャリア信号として信号を強化するような従来装置である。
【００５０】
無線装置５４５は、空中を介して無線で通信される電磁波を変換することにより（例、スペクトラム拡散で）遠距離と通信するよう機能する従来装置である。セルサイト制御装置５５０はセル内で複数のチャネルを制御管理し、および移動電話交換センタ５３５からの制御メッセージに応答したり移動電話交換センタ５３５へ状態を報告するような従来装置である。ネットワークインタフェース５５５は、ＰＳＴＮインタフェース５３０に類似するもので、セル５１０とＳＤＵ５０５により接続するよう動作する従来の装置である。
【００５１】
本発明の実施例によれば、本発明のフィンガ追跡アルゴリズム実現回路２００はレイクトランシーバの少なくとも１つのトランシーバと関連づけられている。フィンガ追跡アルゴリズム実現回路２００は、少なくとも１つのキャリア信号を追跡し、その中に同期化誤差回路とフィードバック回路とを有する（図２から４を参照）。この同期化誤差回路は、少なくとも１つのキャリア信号の現在のＰＣＧ内の同期化エラーを決定するよう動作し、そしてフィードバック回路は、キャリア信号のデータレートとＳＮＲの関数である信号ゲインを同期化誤差回路に加えるよう動作する。このようにしてフィンガ追跡アルゴリズム実現回路２００の収束レートは、キャリア信号のデータレートに依存し、そしてこのデータレートは、追跡中のキャリア信号の強度から得られる。
【００５２】
移動端末５１５は、各セル５１０ａ，５１０ｂと接続しており、これはセルサイトとキャリア信号を無線で送受信するよう動作する従来装置である。無線電話に加えて、例えばセルラ電話，ＰＨＳ等のワイアレス電話に加えて、移動端末５１５はポータブルコンピュータデータ端末等のワイアレスの処理システムでもよい。
【００５３】
従来のデータ通信は、Ｄａｔａ  Ｃｏｍｍｕｎｉｃａｔｉｏｎｓ  Ｐｒｉｎｃｉｐｌｅｓ，  （Ｒ．  Ｄ．  Ｇｉｔｌｉｎ，  Ｊ．Ｆ．  Ｈａｙｅｓ，  Ｓ．Ｂ．  Ｗｅｉｎｓｔｅｉｎ  著、Ｐｌｅｎｕｍ  Ｐｒｅｓｓ  （１９９２）出版）と、Ｔｈｅ  Ｉｒｗｉｎ  Ｈａｎｄｂｏｏｋ  ｏｆ  Ｔｅｌｅｃｏｍｍｕｎｉｃａｔｉｏｎｓ，  （Ｊａｍｅｓ  Ｈａｒｒｙ  Ｇｒｅｅｎ  著、Ｉｒｗｉｎ  Ｐｒｏｆｅｓｓｉｏｎａｌ  Ｐｕｂｌｉｓｈｉｎｇ  （２ｎｄ  ｅｄ．  １９９２）出版）と、Ｖｏｉｃｅ  ＆  Ｄａｔａ  Ｃｏｍｍｕｎｉｃａｔｉｏｎｓ  Ｈａｎｄｂｏｏｋ，  （Ｂｕｄ  Ｂａｔｅｓ，  Ｄｏｎａｌｄ  Ｇｒｅｇｏｒｙ  著、ＭｃＧｒａｗ−Ｈｉｌｌ  （１９９６）出版）に開示されている。
【００５４】
従来の電子回路およびコンピュータあるいは処理システムおよびネットワークデザインは、Ａｒｔ  ｏｆ  Ｅｌｅｃｔｒｏｎｉｃｓ，（Ｐａｕｌ  Ｈｏｒｏｗｉｔｚ，  Ｗｉｎｆｉｅｌｄ  Ｈｉｌｌ  著、Ｃａｍｂｒｉｄｇｅ  （２ｎｄ  ｅｄ．  １９８９）出版）と、Ｄａｔａ  Ｎｅｔｗｏｒｋ  Ｄｅｓｉｇｎ，  （Ｄａｒｒｅｎ  Ｌ．  Ｓｐｏｈｎ  著、ＭｃＧｒａｗ−Ｈｉｌｌ，  Ｉｎｃ．  （１９９３）出版）と、Ｃｏｍｐｕｔｅｒ  Ｏｒｇａｎｉｚａｔｉｏｎ  ａｎｄ  Ａｒｃｈｉｔｅｃｔｕｒｅ，（Ｗｉｌｌｉａｍ  Ｓｔａｌｌｉｎｇｓ  著、ＭａｃＭｉｌｌａｎ  Ｐｕｂｌｉｓｈｉｎｇ  Ｃｏ．  （３ｒｄ  ｅｄ．  １９９３）出版）に開示されている。
【図面の簡単な説明】
【図１】従来技術に係るフィンガ追跡アルゴリズムを実行する回路を表す図
【図２】本発明によるフィンガ追跡アルゴリズムを実行する回路を表す図
【図３】本発明によるフィンガ追跡アルゴリズムのフローチャート図
【図４】図２，図３のフィンガ追跡アルゴリズムを実行する集積回路のブロック図
【図５】図４に示された実施例を実現するインフラストラクチャを表すブロック図
【符号の説明】
１００  従来のフィンガ追跡アルゴリズム実現回路
１０５  サンプラ回路
１１０  進みゲート回路
１１５  遅れゲート回路
１２０  加算回路
１２５  ループフィルタ回路
１３０，１３５  スイッチ回路
２００  本発明によるフィンガ追跡アルゴリズム実現回路
２０５  第１乗積切り換え回路
２１０  第２乗積切り換え回路
２１５  ゲイン論理回路
２２５  ポストフィルタシフタ回路
２３５  プレフィルタシフタ回路
３０５  キャリア信号の受信
３１０  同期化誤差の決定
３１５  ゲイン信号の決定
３２０  ゲイン係数を乗積器切り換え回路に適応する
４０５  多重化装置
４１０  ウォルシュ復調回路
４１５  乗積器
４２０  遅延回路
５００  インフラストラムチャ
５０５  切り換え分配装置（ＳＤＵ）
５１０  セル
５１５  移動端末
５２０  切り換え装置
５２５  音声符号化装置
５３０  ＰＳＴＮインタフェース
５３５  移動電話交換センタ
５４０  増幅器
５４５  無線装置
５５０  セルサイト制御装置
５５５  ネットワークインタフェース
【図１】
0003593248.tif 000002
【図２】
0003593248.tif 000003
【図３】
0003593248.tif 000004
【図４】
0003593248.tif 000005
【図５】
0003593248.tif 000006